(57)【要約】【課題】識別子と一意に関連付けて映像調整値の保存を行う表示装置を提供する。【解決手段】処理部１６は、映像調整部１２に設定されている映像調整値が変更された場合、ＯＳＤ部１３に識別子受付画面を出力して表示部１４にＯＳＤ表示させ、受付部２０による操作を受付ける。処理部１６は、受付けた識別子が記憶部１５に記憶されている識別子のいずれかと一致するか否かを判定し、一致しないと判定した場合、受け付けた識別子と変更された映像調整値とを一意に関連付けて記憶部１５に記憶する。処理部１６は、映像調整値の読み出しを行う場合、記憶部１５に記憶されている識別子の一覧をＯＳＤ部１３に出力し、識別子の選択を受け付ける。処理部１６は、選択された識別子と関連付けられた映像調整値を記憶部１５から読み出し、映像調整部１２に設定する。【選択図】図１
2008281713.tif 000002
【特許請求の範囲】
【請求項１】
入力された映像信号に基づく映像を表示する表示部と、該表示部に表示される映像を映像調整値に基づいて調整する映像調整部と、前記映像調整値を複数記憶する記憶部と、該記憶部に記憶された前記映像調整値を読出し、前記映像調整部に設定する設定手段とを備えた表示装置において、
識別子を受付ける識別子受付手段と、
該識別子受付手段が受付けた識別子を映像調整値に一意に関連付けて前記記憶部に記憶する識別子記憶手段と、
前記識別子受付手段が受付けた識別子が前記記憶部に記憶されているか否かを判定する第１判定手段と、
該第１判定手段が記憶されていると判定した場合、映像調整値の記憶を禁止する禁止手段と
を備え、
前記設定手段は、前記識別子受付手段が受付けた識別子に関連付けられた映像調整値を読み出すように構成されてあること
を特徴とする表示装置。
【請求項２】
前記映像調整値は、複数の調整項目に対して規定され、
１又は複数の調整項目に対して映像調整値の変更を受付け、前記映像調整部に再設定する変更受付手段と、
再設定された映像調整値と全ての調整項目に対して一致する映像調整値が前記記憶部に記憶されているか否かを判定する第２判定手段と
を備え、
該第２判定手段が記憶されていると判定した場合、再設定された映像調整値の記憶を禁止するよう構成されてあること
を特徴とする請求項１に記載の表示装置。
【請求項３】
前記第２判定手段が一致すると判定した場合、一致する旨を報知する報知手段を備えることを特徴とする請求項１又は２に記載の表示装置。
【請求項４】
前記記憶部は、前記識別子を複数のフォルダに分類して記憶するよう構成されてあることを特徴とする請求項１乃至３のいずれか１つに記載の表示装置。
【請求項５】
前記フォルダへのアクセスを認証する認証手段を備えることを特徴とする請求項４に記載の表示装置。
【発明の詳細な説明】
【技術分野】
【０００１】
本発明は、映像調整値の記憶及び読み出しを行う表示装置に関する。
【背景技術】
【０００２】
従来、液晶ディスプレイ等の表示装置は、明度、コントラスト比、色相、彩度及び色温度等の複数の調整項目の設定値が調整可能に構成されている。また、複数の調整項目ごとに設けられた設定値から構成される映像調整値は、表示される映像の種類又は視聴者の好みによって適宜変更されるため、記憶部を設けて複数の映像調整値を記憶する表示装置がある。例えば特許文献１に記載されている表示装置では、記憶部に複数の映像調整値が任意に記憶され、また、記憶された映像調整値を適宜選択して読み出すように構成されており、複数の映像調整値の簡便な設定の切り替えが可能となっている。
【特許文献１】特開２００４−８０６８５号公報
【発明の開示】
【発明が解決しようとする課題】
【０００３】
しかしながら、特許文献１に記載の表示装置では、複数種類の表示映像に対して記憶部に複数の映像調整値が記憶されている場合、各映像調整値がどのような種類の表示映像に対して設定されたものなのかを知ることが困難となる場合があり、所望の映像調整値を容易に選択して読み出すことができないという問題があった。
【０００４】
また、視聴者が映像調整値の各調整項目の設定値の変更及び変更後の表示映像の確認からなる手順を繰り返して映像調整値の微調整を行う場合、記憶部に記憶されている変更前の映像調整値の各調整項目の設定値が、変更後の映像調整値の各調整項目の設定値と異なるか否かを視聴者が判断することが困難となり、微調整後の映像調整値を保存すべきか否かを容易に判断することができないという問題があった。
【０００５】
また、記憶部に複数の映像調整値が記憶されている場合、同一の映像調整値を記憶部に記憶させ、記憶部の空き容量を無駄に使用してしまう虞があった。
【０００６】
また、複数の視聴者が、表示映像の種類に応じて複数の映像調整値を記憶部に記憶させた場合、記憶された映像調整値の数が増大し、多数の映像調整値から視聴者が所望の映像調整値を容易に選択することが困難となるという問題があった。
【０００７】
また、複数の視聴者が各自の好みに合わせて映像調整値を記憶部に記憶する場合、他の視聴者により既に記憶されている映像調整値に誤って上書きされてしまうという虞があった。
【０００８】
本発明は斯かる事情に鑑みてなされたものであり、映像調整値を記憶する場合、受付けた識別子を映像調整値に一意に関連付けて記憶する識別子記憶手段及び記憶部に記憶されている識別子が受付けた識別子と一致する場合、映像調整値の記憶を禁止する禁止手段を備えることにより、映像調整値に関連付けられた識別子から、記憶された映像調整値がどのような種類の表示映像に対して設定されたものかを視聴者が容易に知ることが可能となる表示装置を提供することを目的とする。
【０００９】
また、本発明の他の目的は、調整後の映像調整値の各調整項目の設定値と、全ての調整項目について一致する設定値で構成された映像調整値が記憶部に記憶されている場合、調整後の映像調整値の記憶を禁止するように構成することにより、視聴者が映像調整値の各調整項目の設定値の調整を行った場合に映像調整値を記憶すべきか否かを視聴者が判断する手間を省くことが可能となる表示装置を提供することにある。
【００１０】
また本発明の他の目的は、再設定された映像調整値の各調整項目の設定値と、全ての調整項目について一致する設定値で構成された映像調整値が記憶部に記憶されていると判定手段が判定した場合、その旨を報知する報知手段を備えることにより、記憶部の空き容量の無駄な使用を防止することが可能となる表示装置を提供することにある。
【００１１】
また、本発明の他の目的は、識別子を複数のフォルダに分類して記憶するよう記憶部を構成することにより、視聴者が複数の映像調整値から所望の映像調整値を容易に選択することが可能となる表示装置を提供することにある。
【００１２】
また、本発明の他の目的は、識別子が視聴者ごとに分類されて記憶された各フォルダへのアクセスを認証する認証手段を備えることにより、複数の視聴者が映像調整値を記憶させる場合に、他の視聴者により誤って映像調整値が上書きされることを防止する表示装置を提供することにある。
【課題を解決するための手段】
【００１３】
本発明に係る表示装置は、入力された映像信号に基づく映像を表示する表示部と、該表示部に表示される映像を映像調整値に基づいて調整する映像調整部と、前記映像調整値を複数記憶する記憶部と、該記憶部に記憶された前記映像調整値を読出し、前記映像調整部に設定する設定手段とを備えた表示装置において、識別子を受付ける識別子受付手段と、該識別子受付手段が受付けた識別子を映像調整値に一意に関連付けて前記記憶部に記憶する識別子記憶手段と、前記識別子受付手段が受付けた識別子が前記記憶部に記憶されているか否かを判定する第１判定手段と、該第１判定手段が記憶されていると判定した場合、映像調整値の記憶を禁止する禁止手段とを備え、前記設定手段は、前記識別子受付手段が受付けた識別子に関連付けられた映像調整値を読み出すように構成されてあることを特徴とする。
【００１４】
本発明にあっては、受付けた識別子が映像調整値に一意に関連付けられて映像調整値と共に記憶部に記憶される。受付けた識別子が記憶部に記憶されている識別子と一致すると判定された場合には、映像調整値の記憶が禁止される。記憶されている映像調整値を設定する場合、記憶部に記憶されている識別子を受付けて、受付けた識別子に関連付けられた映像調整値が読み出されて映像調整部に設定される。
【００１５】
本発明に係る表示装置は、前記映像調整値は、複数の調整項目に対して規定され、１又は複数の調整項目に対して映像調整値の変更を受付け、前記映像調整部に再設定する変更受付手段と、再設定された映像調整値と全ての調整項目に対して一致する映像調整値が前記記憶部に記憶されているか否かを判定する第２判定手段とを備え、該第２判定手段が記憶されていると判定した場合、再設定された映像調整値の記憶を禁止するよう構成されてあることを特徴とする。
【００１６】
本発明にあっては、映像調整部に設定された映像調整値の各調整項目の設定値の変更を受付けて再設定され、再設定された各調整項目の設定値と、全ての調整項目について一致する設定値で構成された映像調整値が記憶部に記憶されている場合には、映像調整部に再設定された映像調整値の記憶が禁止される。
【００１７】
本発明に係る表示装置は、前記第２判定手段が一致すると判定した場合、一致する旨を報知する報知手段を備えることを特徴とする。
【００１８】
本発明にあっては、再設定された映像調整値の各調整項目の設定値と、全ての調整項目について一致する設定値で構成された映像調整値が記憶部に記憶されていると判定した場合には、その旨を報知する。
【００１９】
本発明に係る表示装置は、前記記憶部は、前記識別子を複数のフォルダに分類して記憶するよう構成されてあることを特徴とする。
【００２０】
本発明にあっては、識別子は複数のフォルダに分類されて記憶部に記憶される。
【００２１】
本発明に係る表示装置は、前記フォルダへのアクセスを認証する認証手段を備えることを特徴とする。
【００２２】
本発明にあっては、認証された場合にフォルダへのアクセスが許可され、許可されたフォルダに分類されて記憶されている識別子が選択され、関連付けられた映像調整値が読み出される。
【発明の効果】
【００２３】
本発明にあっては、映像調整値を記憶する場合、受付けた識別子を映像調整値に一意に関連付けて記憶する識別子記憶手段と、記憶部に記憶されている識別子と受付けた識別子が一致する場合に、映像調整値の記憶を禁止する禁止手段とを備えることにより、視聴者が映像調整値に一意に関連付けられた識別子から、記憶された映像調整値がどのような種類の表示映像に対して設定されたものかを容易に知ることが可能となる。
【００２４】
また、本発明にあっては、調整後の映像調整値の各調整項目の設定値と、全ての調整項目について一致する設定値で構成された映像調整値が記憶部に記憶されている場合、調整後の映像調整値の記憶を禁止するように構成することにより、視聴者が映像調整値の調整を行った場合に映像調整値を記憶すべきか否かを視聴者が判断する手間を省くことが可能となる
【００２５】
また、本発明にあっては、調整後の映像調整値の各調整項目の設定値と、全ての調整項目について一致する設定値で構成された映像調整値が記憶部に記憶されていると判定した場合には、その旨を報知する報知手段を備えることにより、記憶部の空き容量の無駄な使用を防止することが可能となる。
【００２６】
また、本発明にあっては、識別子を複数のフォルダに分類して記憶するよう記憶部を構成することにより、視聴者が記憶された複数の映像調整値から所望の映像調整値を容易に選択することが可能となる。
【００２７】
また、本発明にあっては、識別子が視聴者ごとに分類されて記憶された各フォルダへのアクセスを認証する認証手段を備えることにより、複数の視聴者が映像調整値を記憶させる場合に、他の視聴者により誤って映像調整値が上書きされることを防止することが可能となる等、本発明は優れた効果を奏する。
【発明を実施するための最良の形態】
【００２８】
実施の形態１
以下、本発明をその実施の形態を示す図面を参照して具体的に説明する。図１は、本発明に係る表示装置の構成を示すブロック図である。図中１は、表示装置であり、外部から映像信号が入力される映像信号入力部１１と、映像信号を映像調整値に基づいて信号処理する映像調整部１２と、映像を表示する液晶パネル１４１及びバックライト１４２から構成される表示部１４と、表示部１４の表示映像に異なる画面を重畳するＯＳＤ（Ｏｎ  Ｓｃｒｅｅｎ  Ｄｉｓｐｌａｙ）部１３と、バックライト１４２を制御するバックライト制御部１７とを備える。
【００２９】
また、表示装置１は、映像調整値及び識別子を記憶する記憶部１５を備えている。さらに、操作を受付ける受付部２０（識別子受付手段、変更受付手段）と、各ハードウェアの制御及び各種処理を行う処理部１６と、処理部１６の演算処理中に発生するデータ等を記憶するＲＡＭ１８と、処理部１６で実行されるプログラム等が記憶されたＲＯＭ１９とを備える。処理部１６は、バス２１により、記憶部１５、ＲＡＭ１８及びＲＯＭ１９と接続されている。
【００３０】
図中白抜矢印は、液晶パネル１４１の光源となるバックライト１４２から発せられた光を示す。映像信号入力部１１に入力された映像信号は、映像調整部１２で映像の明度、彩度、色相、鮮明さ、コントラスト比及び色温度等の複数の調整項目からなる映像調整値に基づいて映像調整が施され、ＯＳＤ部１３を介して表示部１４に与えられる。表示部１４は、与えられた映像信号を液晶パネル１４１に表示する。また、バックライト制御部１７は、映像調整値に含まれるバックライト光量の設定値に基づいて表示部１４のバックライト１４２を制御する。
【００３１】
図２は、識別子と一意に関連付けられて記憶された映像調整値のフォーマット例を示す図表である。処理部１６は、映像調整部１２に設定される映像調整値を記憶部１５に記憶する場合、受付部２０が受け付けた識別子と一意に関連付けて、識別子と共に記憶部１５に記憶する。図２に示す例では、識別子として「初期設定値」、「映画」及び「アニメ」が記憶されており、夫々の識別子に一意に関連付けられた映像調整値が記憶されている。
【００３２】
各映像調整値は、複数の調整項目と、夫々の調整項目に設定された設定値とから構成されている。図２に示す例では、バックライトの光量、表示映像のコントラスト比、輝度、色相、彩度、鮮明さ及び色温度を調整する調整項目として、夫々「バックライト」、「コントラスト」、「ブライトネス」、「カラー」、「ティント」、「シャープネス」及び「色温度」と表記された調整項目の設定値が記憶されている。記憶部１５には、予め識別子「初期設定」と、識別子「初期設定」に一意に関連付けられた映像調整値が記憶されている。
【００３３】
処理部１６は、映像調整部１２に映像調整値が設定されていない場合、記憶部１５に記憶された識別子「初期設定」に一意に関連付けられた映像調整値を読み出し、映像調整部１２に設定する。また、処理部１６は、受付部２０が映像調整値の変更を指示する操作を受付けたことを検知した場合、映像調整部１２に設定されている映像調整値を取得して映像調整に係る画面を作成し、ＯＳＤ部１３に与えて表示部１４にＯＳＤ表示させる。
【００３４】
図３及び図４は、夫々映像調整値の設定処理の手順を示すフローチャート及び操作選択画面の例を示す模式図である。処理部１６は、受付部２０が映像調整値の設定を指示する操作を受付けたことを検知した場合、映像調整値の設定処理をＲＯＭ１９に記憶されているプログラムに従って実行する。処理部１６は、操作選択画面を表示する（ステップＳ１）。図４に示す選択画面の例では、メッセージ「操作を選択してください。」と、夫々「プリセット読み出し」、「プリセット削除」及び「直接変更」と表示された選択項目と、「終了」と表示されたソフトウェアボタンとが表示されている。
【００３５】
「プリセット読み出し」及び「プリセット削除」と表示された選択項目は、夫々記憶部１５に記憶されている映像調整値を読み出して映像調整部１２に設定する処理及び記憶部１５から削除する処理に対応づけられている。「直接変更」と表示された選択項目は、映像調整部１２に設定されている映像調整値の各調整項目の設定値を変更する処理に対応付けられている。また、各選択項目及びソフトウェアボタンは、受付部２０が使用者によるカーソルキーの操作を受付けることにより、いずれか１つを選択可能に構成されている。
【００３６】
図４に示す例では、「プリセット読み出し」が選択されている。処理部１６は、選択された選択項目に対応した処理の実行を指示するエンターキーの押下を受付部２０が受付けたか否かを判定する（ステップＳ２）。処理部１６は、受付けなかったと判定した場合（ステップＳ２でＮＯ）、受付けたか否かを判定するステップＳ２に処理を戻す。処理部１６は、受付けたと判定した場合（ステップＳ２でＹＥＳ）、どの選択項目又はソフトウェアボタン、すなわち何れの操作が選択されたかを判定する（ステップＳ３）。
【００３７】
処理部１６は、選択項目「プリセット読み出し」が選択されたと判定した場合（ステップＳ３で“読出”）、後述する読出処理を実行し（ステップＳ４）、映像調整値の設定処理を終了する。処理部１６は、選択項目「プリセット削除」が選択されたと判定した場合（ステップＳ３で“削除”）、後述する削除処理を実行し（ステップＳ５）、映像調整値の設定処理を終了する。処理部１６は、選択項目「直接変更」が選択されたと判定した場合（ステップＳ３で“変更”）、後述する変更処理を実行し（ステップＳ６）、映像調整値の設定処理を終了する。処理部１６は、ソフトウェアボタン「終了」が選択されたと判定した場合（ステップＳ３で“終了”）、映像調整値の設定処理を終了する。
【００３８】
図５及び図６は、夫々読出処理の手順を示すフローチャート及び識別子選択画面の例を示す模式図である。処理部１６は、記憶部１５に記憶されている識別子を読み出す（ステップＳ４０１）。処理部１６は、読み出した識別子を選択項目とする識別子一覧を備えた識別子選択画面を作成し、ＯＳＤ部１３に与えて表示部１４にＯＳＤ表示させる（ステップＳ４０２）。識別子一覧は、受付部２０が使用者によるカーソルキーの操作を受付けることにより、いずれか１つを選択可能に構成されている。
【００３９】
図６に示す例では、メッセージ「設定する映像調整値を選択して下さい。」と、識別子「初期設定」、「映画」、「アニメ」及び「ゲーム」が表示されており、識別子「ゲーム」が選択されている。また、処理部１６は、選択された識別子「ゲーム」に関連付けられた映像調整値を記憶部１５から読み出し、映像調整値を構成する各調整項目の設定値を識別子選択画面に表示する。処理部１６は、受付部２０がエンターキーの押下を受付けたか否かを判定する（ステップ４０３）。
【００４０】
処理部１６は、受付けていないと判定した場合（ステップＳ４０３でＮＯ）、押下を受付けたか否かを判定するステップＳ４０３に処理を戻す。処理部１６は、受付けたと判定した場合（ステップＳ４０３でＹＥＳ）、識別子選択画面で選択されている識別子を取得する（ステップＳ４０４）。処理部１６は、取得した識別子に一意に関連付けられている映像調整値を記憶部１５から読み出して映像調整部１２に設定し（ステップＳ４０５）、読出処理を終了する。
【００４１】
図７は、変更処理の手順を示すフローチャートである。図８及び図９は、夫々映像調整値変更画面及び保存ボタンが表示された映像調整値変更画面の例を示す模式図である。処理部１６は、映像調整部１２に設定されている映像調整値を取得し、ＲＡＭ１８に記憶する（ステップＳ６０１）。処理部１６は、取得した映像調整値に基づき映像調整値変更画面を作成しＯＳＤ部１３に与えて表示部１４にＯＳＤ表示する（ステップＳ６０２）。図８に示す例では、夫々バックライトの光量、表示映像のコントラスト比、輝度、色相、彩度、鮮明さ及び色温度を設定するための映像調整値の調整項目としてバックライト、コントラスト、ブライトネス、カラー、ティント、シャープネス及び色温度が表示されている。
【００４２】
色温度を除く各調整項目には、各設定値が表示されると共に、各設定値を調整するためのスライダが設けられている。色温度と表示された調整項目には、高、中及び低と夫々表示されたソフトウェアボタンが設けられており、いずれか１つが選択されている。使用者は、受付部２０に設けられたカーソルキーを操作して映像調整値変更画面の色温度を除く各映像調整項目に設けられたスライダを移動させることにより、設定値を変更する。また、色温度と表示された調整項目については、受付部２０に設けられたカーソルキーを操作して、高、中及び低と表示されたソフトウェアボタンのいずれか１つを選択することにより変更される。
【００４３】
また、映像調整値の変更処理を終了するための「終了」と表示されたソフトウェアボタンである終了ボタンが表示されている。各調整項目の設定値の変更は、即時に映像調整部１２に設定され表示部１４の表示映像に反映される。これにより、ＯＳＤ表示された映像調整値変更画面を用いて、各調整項目の設定値の変更と表示画像の確認とを同時に行うことが可能となっている。処理部１６は、映像調整値変更画面に表示されている映像調整値の各調整項目の設定値が全て一致する同一の映像調整値が記憶部１５に記憶されているか否かを判定する（ステップＳ６０３）。
【００４４】
処理部１６は、記憶されていると判定した場合（ステップＳ６０３でＹＥＳ）、映像調整値変更画面に後述する保存ボタンが表示されているか否かを判定する（ステップＳ６０８）。処理部１６は、表示されていないと判定した場合（ステップＳ６０８でＮＯ）、同一の映像調整値が記憶部１５に記憶されているか否かを判定するステップＳ６０３に処理を戻す。処理部１６は、表示されていると判定した場合（ステップＳ６０８でＹＥＳ）、表示されている保存ボタンを非表示にし（ステップＳ６０９）、同一の映像調整値が記憶部１５に記憶されているか否かを判定するステップＳ６０３に処理を戻す。
【００４５】
図９に示す例では、図８に示す映像調整値設定画面のコントラスト及びシャープネスの調整項目の設定値が変更されて映像調整値を記憶部１５に記憶する指示を受付けるための「保存」と表示されたソフトウェアボタンである保存ボタンが表示されている。処理部１６は、同一の映像調整値が記憶部１５に記憶されているか否かを判定するステップＳ６０３において、記憶されていないと判定した場合（ステップＳ６０３でＮＯ）、映像調整値変更画面に保存ボタンが表示されているか否かを判定する（ステップＳ６０４）。
【００４６】
処理部１６は、保存ボタンが表示されていないと判定した場合（ステップＳ６０４でＮＯ）、保存ボタンをＯＳＤ表示されている映像調整値変更画面に表示する（ステップＳ６０５）。処理部１６は、選択されたソフトウェアボタンに対応した処理の実行を指示するエンターキーの押下操作を受付部２０が受付けたか否かを判定する（ステップＳ６０６）。処理部１６は、受付けていないと判定した場合（ステップＳ６０６でＮＯ）、同一の映像調整値が記憶部１５に記憶されているか否かを判定するステップＳ６０３に処理を戻す。
【００４７】
処理部１６は、受付けたと判定した場合（ステップＳ６０６でＹＥＳ）何れのボタンが選択されたかを判定する（ステップＳ６０７）。処理部１６は、終了ボタンが選択されたと判定した場合（ステップＳ６０７で“終了”）、変更処理を終了する。処理部１６は、保存ボタンが選択されたと判定した場合（ステップＳ６０７で“保存”）、後述する保存処理を実行し（ステップＳ６１０）、変更処理を終了する。
【００４８】
図１０及び図１１は、それぞれ調整項目選択画面及び設定値変更画面の例を示す模式図である。図８に全ての調整項目が表示された映像調整変更画面により映像調整値を変更する例を示したが、これに限るものではなく、変更する調整項目を選択する調整項目選択画面と、選択された調整項目の設定値を変更する設定値変更画面とをＯＳＤ表示することにより映像調整値を変更するようにしても良い。図１０に示す例では、メッセージ「変更する調整項目を選んで下さい。」が表示されると共に、それぞれの調整項目が表示されたソフトウェアボタンが設けられている。
【００４９】
調整項目が表示されたソフトウェアボタンは、いずれか１つを選択可能に構成されており、図１０に示す例では、調整項目「バックライト」が選択されている。処理部１６は、調整項目が選択された場合、選択された調整項目の設定値の設定値変更画面をＯＳＤ表示する。図１１に示す例では調整項目「バックライト」の設定値とメッセージ「調整項目：バックライト」とが表示された設定値変更画面にスライダが設けられている。使用者は、受付部２０に設けられたカーソルキーを操作してスライダを移動させることにより、選択された調整項目の設定値を変更する。設定値が変更された場合、処理部１６は、ＯＳＤ表示されている設定値変更画面に「保存」ボタンを表示すると良い。
【００５０】
図１２は、保存処理の手順を示すフローチャートである。処理部１６は、記憶部１５に映像調整値が記憶する空き容量が存在するか否かを判定する（ステップＳ７０１）。処理部１６は、空き容量が存在しないと判定した場合（ステップＳ７０１でＮＯ）、保存処理を終了する。処理部１６は、空き容量が存在すると判定した場合（ステップＳ７０１でＹＥＳ）、識別子受付画面をＯＳＤ部１３に出力して表示部１４にＯＳＤ表示させる（ステップＳ７０２）。
【００５１】
図１３は、識別子受付画面の例を示す模式図である。図１３に示す例では、メッセージ「名前をつけて保存します。」及び識別子となる文字列を受付ける識別子受付欄が表示されている。処理部１６は、受付部２０に操作を受付けさせる（ステップＳ７０３）。処理部１６は、受付部２０がエンターキーの押下を受付けたか否かを判定する（ステップＳ７０４）。処理部１６は、受付けていないと判定した場合（ステップＳ７０４でＮＯ）、受付部２０に操作を受付けさせるステップＳ７０３に処理を戻す。
【００５２】
処理部１６は、受付けたと判定した場合（ステップＳ７０４でＹＥＳ）、識別子受付画面の識別子受付欄に入力されている文字列を識別子として取得する（ステップＳ７０５）。図１３に示す例では、識別子受付欄に使用者により入力された文字列「アニメ」及びカーソルが処理部１６により表示されており、処理部１６は、識別子として文字列「アニメ」を取得する。処理部１６は、取得した識別子と同一の識別子が記憶部１５に記憶されているか否かを検索して判定する（ステップＳ７０６）。処理部１６は、記憶されていると判定した場合（ステップＳ７０６でＹＥＳ）、識別子再受付画面をＯＳＤ部１３に出力して表示部１４にＯＳＤ表示させる（ステップＳ７０９）。
【００５３】
図１４は、識別子再受付画面の例を示す模式図である。図１４に示す例では、メッセージ「アニメは既に使われています。別の名前で保存して下さい。」及び識別子受付欄がＯＳＤ表示されている。処理部１６は、受付部２０に操作を受付けさせるステップＳ７０３に処理を戻す。処理部１６は、取得した識別子と同一の識別子が記憶部１５に記憶されているか否かを判定するステップＳ７０６において、存在しないと判定した場合（ステップＳ７０６でＮＯ）、前述の変更処理において取得した映像調整値を記憶部１５に記憶する（ステップＳ７０７）。処理部１６は、記憶した映像調整値と取得した識別子とを一意に関連付けて、識別子を記憶部１５に記憶し（ステップＳ７０８）、保存処理を終了する。
【００５４】
図１５は、削除処理の手順を示すフローチャートである。処理部１６は、記憶部１５から識別子を読み出す（ステップＳ８０１）。処理部１６は、読み出した識別子の一覧を表示する（ステップＳ８０２）。処理部１６は、受付部２０に操作を受付けさせる（ステップＳ８０３）。使用者は、受付部２０に備えられたカーソルキーを操作して識別子一覧から所望の識別子を選択する。処理部１６は、受付部２０がエンターキーの押下を受付けたか否かを判定する（ステップＳ８０４）。
【００５５】
処理部１６は、受付けていないと判定した場合（ステップＳ８０４でＮＯ）、受付部２０に操作を受付けさせるステップＳ８０３に処理を戻す。処理部１６は、受付けたと判定した場合（ステップＳ８０４でＹＥＳ）、表示部１４に表示された識別子の一覧から選択された識別子を取得する（ステップＳ８０５）。処理部１６は、取得した識別子に関連付けられた映像調整値を記憶部１５から削除する（ステップＳ８０６）。処理部１６は、取得した識別子を記憶部１５から削除し（ステップＳ８０７）、削除処理を終了する。
【００５６】
実施の形態２
図１６は、実施の形態２に係る変更処理の手順を示すフローチャートである。本実施の形態２に係る変更処理は、実施の形態１に係る変更処理を置き換えて実行される。処理部１６は、映像調整部１２に設定されている映像調整値を取得する（ステップＳ９０１）。処理部１６は、取得した映像調整値に基づき映像調整値変更画面を作成しＯＳＤ部１３に出力し表示部１４にＯＳＤ表示させる（ステップＳ９０２）。
【００５７】
使用者は、受付部２０に設けられたキーを操作して映像調整値変更画面の映像調整値の各映像調整項目に設けられたスライダを移動させることにより、設定値を調整する。映像調整値の各調整項目の設定値の変更は、即時に映像調整部１２に再設定され表示部１４の表示映像に反映される。処理部１６は、ＯＳＤ表示された映像調整値変更画面に保存ボタンを表示する（ステップＳ９０３）。処理部１６は、受付部２０が受付けた操作により保存ボタンが選択されたか否かを判定する（ステップＳ９０４）。
【００５８】
処理部１６は、選択されていないと判定した場合（ステップＳ９０４でＮＯ）、保存ボタンが選択されたか否かを判定するステップＳ９０４に処理を戻す。処理部１６は、選択されたと判定した場合（ステップＳ９０４でＹＥＳ）、映像調整値変更画面に表示されている映像調整値の各映像調整項目の設定値が全て一致する同一の映像調整値が記憶部１５の映像記憶領域のいずれかに記憶されているか否かを判定する（ステップＳ９０５）。処理部１６は、記憶されていると判定した場合（ステップＳ９０５でＹＥＳ）、確認画面を表示する（ステップＳ９０６）。
【００５９】
図１７は、実施の形態２に係る確認画面の例を示す模式図である。図１７に示す例では、メッセージ「同じ映像調整値が既に以下の名前で保存されています。」及び「別名で保存しますか？」と、選択項目「はい」及び「いいえ」が表示されている。また、一致した識別子「映画」及び識別子「映画」に一意に関連付けられて記憶部１５に記憶されている映像調整値が表示されている。処理部１６は、確認画面の選択項目「はい」が選択されたか否かを判定する（ステップＳ９０７）。
【００６０】
処理部１６は、選択されていないと判定した場合（ステップＳ９０７でＮＯ）、映像調整部１２に設定されている映像調整値を取得するステップＳ９０１に処理を戻す。処理部１６は、選択されたと判定した場合（ステップＳ９０７でＹＥＳ）、前述の保存処理を実行し（ステップＳ９０８）、変更処理を終了する。また、同一の映像調整値が記憶部１５のいずれかに記憶されているか否かを判定するステップＳ９０５において、記憶されていないと判定した場合（ステップＳ９０５でＮＯ）、保存処理を実行するステップＳ９０８に処理を移し、変更処理を終了する。
【００６１】
本実施の形態２は以上の如き構成とし、実施の形態１の変更処理を変更したものであり、その他の構成及び処理は実施の形態１と同様であるので対応する部分には同一の参照番号及び同一の処理名を付してその詳細な説明を省略する。
【００６２】
実施の形態３
図１８は、実施の形態３に係る識別子の記録構造を示す構造図である。識別子は、複数のフォルダに分類されて記憶部１５に記憶されている。図１８に示す例では、記憶部フォルダ「ルート」３１を最上層としたツリー状の階層構造で識別子が記憶部１５に記憶されている。最上層のフォルダ「ルート」３１の下層にフォルダ「父」３１ａ、フォルダ「母」３１ｂ、フォルダ「姉」３１ｃ及びフォルダ「私」３１ｄが作成されている。
【００６３】
フォルダ「私」３１ｄには、識別子「映画」３１ｅ、識別子「アニメ」３１ｆ、識別子「バラエティ」３１ｇ及び識別子「ゲーム」３１ｈが格納されている。図１８に示す例では、ルートフォルダと、その下層に作成されたフォルダから構成される階層構造を示したが、これに限るものではなく、階層構造の層数を、適宜増やしても良い。
【００６４】
図１９、図２０及び図２１は、夫々実施の形態３に係るフォルダ選択画面、パスワード受付画面及び識別子受付画面の例を示す模式図である。処理部１６は、記憶領域に記憶されている映像調整値の読み出しを行う読出処理、映像調整値の記憶領域への記憶を行う保存処理及び変更を行う変更処理において識別子の受付を行う場合、これらの画面が表示される。図１９に示す例では、フォルダ「私」が選択されている。各フォルダには、パスワードが設定されており、処理部１６は、フォルダが選択された場合、パスワード受付画面を表示する。
【００６５】
図２０に示す例では、メッセージ「パスワードを入力してください。」及びパスワード受付欄が表示されている。処理部１６は、受付けたパスワードが選択されたフォルダに設定されたパスワードと一致する場合に、選択されたフォルダ内に格納されている識別子を受付ける識別子受付画面を表示する。図２１に示す例では選択されたフォルダ「私」と、フォルダ「私」に格納されている識別子「映画」、「アニメ」、「バラエティ」及び「ゲーム」と、メッセージ「選択中のフォルダ：私」及び「設定する映像調整値を選択してください。」とが表示されている。
【００６６】
また、識別子「ゲーム」が選択され、識別子「ゲーム」に関連付けられた記憶領域に記憶されている映像調整値が読み出されて表示されている。処理部１６は、記憶領域に記憶された映像調整値の削除を行う削除処理及び変更を行う変更処理においても、同様にフォルダ選択画面によるフォルダの選択を行う。これにより、第三者による削除又は変更を防止することが可能となる。
【００６７】
実施の形態３は、実施の形態１又は２の識別子の記録態様及び各画面の表示態様を変更したものであり、その他の構成及び処理は同様であるので対応する部分には同一の参照番号及び同一の処理名を付してその詳細な説明を省略する。
【図面の簡単な説明】
【００６８】
【図１】本発明に係る表示装置の構成を示すブロック図である。
【図２】識別子と一意に関連付けられて記憶された映像調整値のフォーマット例を示す図表である。
【図３】映像調整値の設定処理の手順を示すフローチャートである。
【図４】操作選択画面の例を示す模式図である。
【図５】読出処理の手順を示すフローチャートである。
【図６】識別子選択画面の例を示す模式図である。
【図７】変更処理の手順を示すフローチャートである。
【図８】映像調整値変更画面の例を示す模式図である。
【図９】保存ボタンが表示された映像調整値変更画面の例を示す模式図である。
【図１０】調整項目選択画面の例を示す模式図である。
【図１１】設定値変更画面の例を示す模式図である。
【図１２】保存処理の手順を示すフローチャートである。
【図１３】識別子受付画面の例を示す模式図である。
【図１４】識別子再受付画面の例を示す模式図である。
【図１５】削除処理の手順を示すフローチャートである。
【図１６】実施の形態２に係る変更処理の手順を示すフローチャートである。
【図１７】実施の形態２に係る確認画面の例を示す模式図である。
【図１８】実施の形態３に係る識別子の記録構造を示す構造図である。
【図１９】実施の形態３に係るフォルダ選択画面の例を示す模式図である。
【図２０】実施の形態３に係るパスワード受付画面の例を示す模式図である。
【図２１】実施の形態３に係る識別子受付画面の例を示す模式図である。
【符号の説明】
【００６９】
１  表示装置
１１  映像信号入力部
１２  映像調整部
１３  ＯＳＤ部
１４  表示部
１５  記憶部
１６  処理部
１７  バックライト制御部
１８  ＲＡＭ
１９  ＲＯＭ
２０  受付部
２１  バス
１４１  液晶パネル
１４２  バックライト
【図１】
2008281713.tif 000003
【図２】
2008281713.tif 000004
【図３】
2008281713.tif 000005
【図４】
2008281713.tif 000006
【図５】
2008281713.tif 000007
【図６】
2008281713.tif 000008
【図７】
2008281713.tif 000009
【図８】
2008281713.tif 000010
【図９】
2008281713.tif 000011
【図１０】
2008281713.tif 000012
【図１１】
2008281713.tif 000013
【図１２】
2008281713.tif 000014
【図１３】
2008281713.tif 000015
【図１４】
2008281713.tif 000016
【図１５】
2008281713.tif 000017
【図１６】
2008281713.tif 000018
【図１７】
2008281713.tif 000019
【図１８】
2008281713.tif 000020
【図１９】
2008281713.tif 000021
【図２０】
2008281713.tif 000022
【図２１】
2008281713.tif 000023